【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
少なくとも１つの光変調器（２、２３）を使用してホログラフィック再構成を生成するデバイス（１）であって、
−  複数の光源（４１）を有する光源（１１）或いは光源アレイ（４）と、
−  少なくとも１つの光源（１１、４１）により照明される、少なくとも１つの画素化光変調器（２、２３）と、
−  各光学素子（５１）が前記光変調器（２、２３）の符号化可能画素（２１；２４、２５、２６、２７；２９１、２９２）のグループ（２８；２９）に割り当てられ且つ前記光学素子（５１）が光源画像（４２）を形成するように前記光変調器（２、２３）の背後の像面（６）に前記光源（１１、４１）を結像させる第１の集束光学素子アレイ（５）と、
−  前記第１の集束光学素子アレイ（５）の前記光学素子（５１）に割り当てられた光学素子（１３１）を有する第２の集束光学素子アレイ（１３）と、
ここで、前記光学素子（１３１）は、そこから発散する光束を可視領域（６１）内に観察者に視点（１４）に投影するため、前記像面（６）の背後にあって、前記光学素子（５１）の焦点の長さだけ隔てた位置に配置されている；
−  前記光変調器（２、２３）に接続され、且つ、プログラミング手段により前記光変調器（２、２３）の前記画素化符号化表面（２２）に対する前記ホログラフィックコードを計算する制御ユニット（７）とを具備し、
前記光変調器（２、２３）はフィルタリングアパーチャアレイ（８）に割り当てられ、
前記フィルタリングアパーチャアレイ（８）は、複数のアパーチャ（８１、８２）を有し且つ前記光源画像（４２）の前記像面（６）に近接して位置付けられ、
前記フィルタリングアパーチャアレイ（８）は、前記第１の集束光学素子アレイ（５）と第２の集束光学素子アレイ（１３）と共に、４ｆ−フィルタシステムを構成し、
前記フィルタリングアパーチャアレイ（８）のアパーチャ（８１、８２）は、前記光変調器（２、２３）のホログラフィック符号化により生成された回折スペクトルの規定された領域を通過させるように形成され、
前記規定された領域はフーリエ変換の１つの回折次数より小さいか又は同一のサイズを有する
ことを特徴とするデバイス。
【請求項２】
光ビーム拡大システム（１２）及び前記集束光学素子アレイ（５）を有する光源（１１）が前記光変調器（２、２３）を照明するために前記光変調器（２、２３）の前方に配設される、
又は、
動的シャッター変調器が、前記光ビーム拡大システム（１２）と前記集束光学素子アレイ（５）との間に提供されることを特徴とする請求項１に記載のデバイス。
【請求項３】
複数の光源（４１）を有する光源アレイ（４）が前記光変調器（２、２３）を照明するために前記光変調器（２、２３）の前方に配設される、
又は、
前記デバイスは観察者（１４）に対する画面を形成し、且つ、前記フィルタリングアパーチャアレイ（８）の下流側に配設される、複数の球面光学素子（１３１）を有した第２の光学素子アレイ（１３）を具備する
ことを特徴とする請求項１に記載のデバイス。
【請求項４】
前記光変調器（２、２３）を符号化する前記制御ユニット（７）は制御システム（１６）の一部であり、前記制御システム（１６）は、前記光源アレイ（４）を制御するユニット（１７）、及び／又は、前記フィルタリングアパーチャアレイ（８）、及び／又は、前記第１の光学素子アレイ（５）、及び／又は、前記第２の光学素子アレイ（１３）を制御するユニット（１８）、及び、前記観察者（１４）の実際の位置を検出する位置検出ユニット（１９）を更に具備することを特徴とする請求項１乃至３のいずれか１項に記載のデバイス。
【請求項５】
前記位置検出ユニット（１９）は、少なくとも信号により前記２つのユニット（１７）及び（１８）に接続され、
前記２つのユニット（１７、１８）は、前記位置検出ユニット（１９）からの信号に応答して各平面における可動構成要素、すなわち前記光源アレイ（４）の前記光源（４１）及び／又は前記フィルタリングアパーチャアレイ（８）の前記フィルタリングアパーチャ（８１）及び／又は前記第１の光学素子アレイ（５）及び／又は前記第２の光学素子アレイ（１３）を変位させる変位デバイス（２０）にオプションとして接続されることを特徴とする請求項４に記載のデバイス。
【請求項６】
前記アレイ（４、８）は、前記制御システム（１６）により制御される動的光コンポーネント及び静的光コンポーネントの双方として設計されることを特徴とする請求項１乃至５のいずれか１項に記載のデバイス。
【請求項７】
前記第１の光学素子アレイ（５）は、前記光変調器（２、２３）に対しては光学照明系であり、前記光源アレイ（４）に対しては前記像面（６）を形成し、且つ、前記光源アレイ（４）に対しては光学結像システムを形成し、
当該光学投影システムは、前記光源アレイ（４）を前記光変調器（２、２３）のフーリエ平面として与えられる前記焦点面に結像し、前記光源アレイ（４）の画像は、光が照らされる際に通る前記光変調器（２、２３）の各サブ区分の画素（２１；２４、２５、２６、２７；２９１、２９２）のフーリエ変換と一致し、所定の回折次数又はその一部を通過させる前記フィルタリングアパーチャアレイ（８）は、前記像面（６）に近接して配設されることを特徴とする請求項１乃至６のいずれか１項に記載のデバイス。
【請求項８】
前記フィルタリングアパーチャアレイ（８）は、オプションとして前記フーリエ変換の前記所定の回折次数又はその一部のみを通過させるアパーチャマスクの形態で、アパーチャ（８１、８２）のグリッドを示し、
又は、
前記第１の光学素子アレイ（５）は、前記第１の光源アレイ（４）の前記点光源（４１）の後方に配設される球面レンズ（５１）の２次元構成である
ことを特徴とする請求項７に記載のデバイス。
【請求項９】
前記２次元に配置される球面光学素子（１３１）を有する前記投影する第２の光学素子アレイ（１３）は、前記可視領域が割り当てられ且つ同時に前記観察者平面としての役割を果たす平面（６１）に前記フィルタリングアパーチャアレイ（８）の前記アパーチャ（８１、８２）を結像し、前記光学素子及び前記フィルタリングアパーチャは、前記観察者平面（６１）の全てのアパーチャ（８１、８２）の画像が重なり合い、１つの観察者ウィンドウを形成するように相互に配置されることを特徴とする請求項３に記載のデバイス。
【請求項１０】
前記フィルタリングアパーチャアレイ（８）の前記アパーチャ（８１、８２）のサイズは、前記光変調器（２）の画素ピッチ（ｐ）及び前記第１の光学素子アレイ（５）の前記レンズ（５１）の焦点距離に依存することを特徴とする請求項８に記載のデバイス。
【請求項１１】
前記フィルタリングアパーチャアレイ（８）はシャッター変調器であり、
当該シャッター変調器の制御可能な開口部は、１つの回折次数又はその一部の寸法の外延に従った１つ又は複数の画素分の寸法を有し、
或いは／及び、
前記第１の光学素子アレイ（５）は、線光源により照明され且つスロットアパーチャ（８１、８２）を有するフィルタリングアパーチャアレイ（８）を割り当てられる円柱レンズを含むレンチキュラーアレイである
ことを特徴とする請求項１乃至１０のいずれか１項に記載のデバイス。
【請求項１２】
前記観察者（１４）に対する前記平面（６１）の前記可視領域を追跡するために、前記アパーチャ（８１、８２）の位置を変位する動的シャッター変調器がフィルタリングアパーチャアレイ（８）として使用されることを特徴とする請求項２又は１１に記載のデバイス。
【請求項１３】
複数の光源（４１）を有する光源アレイ（４）が前記光変調器（２、２３）を照明するために前記光変調器（２、２３）の前方に配設される、
又は、
前記デバイスは観察者（１４）に対する画面を形成し、且つ、前記フィルタリングアパーチャアレイ（８）の下流側に配設される、複数の球面光学素子（１３１）を有した第２の光学素子アレイ（１３）を具備し、
前記光源アレイ（４）は、個々に順番に電源を投入される隣接する光源（４１）の構成を含み、前記構成は、前記制御システム（１６）により制御されて特定の間隔の垂直断面を照明する、
或いは、
発散レンズ（５２）は、前記観察者（１４）に対する前記平面（６１）の前記使用可能な可視領域を垂直方向に拡大するために提供され、前記平行配向発散レンズ（５２）の全体は、前記フィルタリングアパーチャアレイ（８）の下流側にすぐ隣接して配設される発散レンズアレイ（５３）の形態を更に有する
ことを特徴とする請求項１、２、４乃至１２のいずれか１項に記載のデバイス。
【請求項１４】
オプションとして、前記光変調器（２，２３）に対して使用される設計及び符号化方法に依存して、１次元スロットフィルタリングアパーチャアレイ又は円形のアパーチャを有する２次元フィルタリングアパーチャアレイ（８）が採用されることを特徴とする請求項１に記載のデバイス。
【請求項１５】
前記フィルタリングアパーチャアレイ（８）は静的であり、アパーチャマスクの形態を有することを特徴とする請求項１４に記載のデバイス。
【請求項１６】
前記平面（６１）の前記可視領域を追跡するため、又は、前記平面（６１）のある特定の可視領域を周期的に走査するため、動的フィルタリングアパーチャアレイ（８）が前記制御システム（１６）の前記制御可能変位デバイス（２０）を使用して実現されることを特徴とする請求項１乃至１５のいずれか１項に記載のデバイス。
【請求項１７】
前記フィルタリングアパーチャアレイ（８）は制御可能な振幅変調光変調器であり、個々の画素の透過率の変動がフィルタリング効果の原因となり、アパーチャ（８１、８２）としての役割を果たす前記活性化画素が、静的フィルタリングアパーチャアレイの前記アパーチャ（８１、８２）の前記開口部のサイズにほぼ対応することを特徴とする請求項１乃至１６のいずれか１項に記載のデバイス。
【請求項１８】
前記動的光源アレイ（４）は、前記フィルタリングアパーチャアレイ（８）と一致して、光源（１１）により全体的に照明される制御可能な振幅変調光変調器であり、個々の画素の透過率の変動により光ビームが通過し、ビームを通過させる開口部としての役割を果たす前記画素は、静的光源アレイの前記光源（４１）のほぼ直径のサイズを有することを特徴とする請求項１または１７に記載のデバイス。